(57)【特許請求の範囲】
【請求項１】
液化ガス燃料が収容される燃料タンクから燃料ポンプによって汲み出された液化ガス燃料をインジェクタに供給しつつ、前記インジェクタからエンジンに噴射供給する液化ガス燃料供給装置において、
前記燃料タンク内の液化ガス燃料の温度を検出する燃料温度検出手段と、
前記燃料タンク内の液化ガス燃料の圧力を検出する燃料圧力検出手段と、
前記燃料温度検出手段と前記燃料圧力検出手段との各検出値に基づき、前記燃料タンク内の液化ガス燃料の組成を算出する燃料組成算出手段と、
前記燃料組成算出手段で新たに燃料組成が算出されたときに、前回算出された燃料組成を今回算出された燃料組成に更新する燃料組成更新手段とを有し、
前記燃料組成更新手段は、エンジン始動後所定期間が経過したときに前記燃料組成の更新を行う
ことを特徴とする液化ガス燃料供給装置。
【請求項２】
請求項１に記載する液化ガス燃料供給装置において、
前記所定期間は、エンジン始動後に前記燃料タンク内の燃料温度分布が略均一になるまでの期間である
ことを特徴とする液化ガス燃料供給装置。
【請求項３】
液化ガス燃料が収容される燃料タンクから燃料ポンプによって汲み出された液化ガス燃料をインジェクタに供給しつつ、前記インジェクタからエンジンに噴射供給する液化ガス燃料供給装置において、
前記燃料タンク内の液化ガス燃料の温度を検出する燃料温度検出手段と、
前記燃料タンク内の液化ガス燃料の圧力を検出する燃料圧力検出手段と、
前記燃料温度検出手段と前記燃料圧力検出手段との各検出値に基づき、前記燃料タンク内の液化ガス燃料の組成を算出する燃料組成算出手段と、
前記燃料組成算出手段で新たに燃料組成が算出されたときに、前回算出された燃料組成を今回算出された燃料組成に更新する燃料組成更新手段とを有し、
前記燃料組成更新手段は、エンジン始動後に所定車速に達したときに前記燃料組成の更新を行う
ことを特徴とする液化ガス燃料供給装置。
【請求項４】
請求項１から請求項３に記載するいずれか１つの液化ガス燃料供給装置において、
前記燃料組成更新手段は、前記燃料組成算出手段で今回算出された燃料組成と前回算出された燃料組成との差が所定値以上である場合には、エンジン始動時に前記燃料組成の更新を行う
ことを特徴とする液化ガス燃料供給装置。
【発明の詳細な説明】
【技術分野】
【０００１】
本発明は、液化ガス燃料をエンジンに供給する液化ガス燃料供給装置に関する。より詳細には、液化ガス燃料の組成を精度良く算出して更新することができる液化ガス燃料供給装置に関するものである。
【背景技術】
【０００２】
近年、液化ガスを燃料とするエンジンを搭載した車両が実用化されている。そして、液化ガスを燃料とするエンジンに液化ガスを供給する液化ガス燃料供給装置として、例えば、特許文献１に開示されたものがある。ここに開示された液化ガス燃料供給装置では、イグニッションスイッチ（ＩＧ）がＯＮされる度に、燃料タンク内の燃料温度と燃料圧力を検出し、それらから燃料組成（ＬＰＧ燃料であればプロパン率）を算出して更新し、その更新した燃料組成に基づいて燃料噴射の制御を行っている。ここで、ＬＰＧ燃料は、プロパンとブタンの混合燃料であり、ＬＰＧ燃料におけるプロパン率とは、プロパン燃料のモル比をいう。これにより、この液化ガス燃料供給装置では、燃料組成が変化した場合であっても、それに見合った適切な燃料噴射を行うことができるようになっている。
【特許文献１】特開２００１−１０７８０５号公報
【発明の開示】
【発明が解決しようとする課題】
【０００３】
しかしながら、上記した液化ガス燃料供給装置では、液化ガス燃料の組成を精度良く算出して更新することができない場合があった。例えば、燃料タンク内の燃料温度が不均一になった場合には、燃料タンク内の燃料温度を正確に検出することができず（検出誤差が大きくなり）、その誤差の大きな燃料温度を用いて燃料組成を算出してしまうため、液化ガス燃料の組成を精度良く算出することができない。すなわち、算出した燃料組成と実際の燃料組成との誤差が大きくなる。
【０００４】
ここで、燃料タンク内の燃料温度が不均一になる場合としては、燃料補給が行われたとき、リターン燃料が燃料タンク内に混入したとき、又は外気の影響等が考えられる。このような場合には、燃料タンク内の平均燃温（温度分布が均一であるときの燃温）に対して燃温検出部付近だけが局所的に燃温が高い又は低い状態となって、燃料タンク内で液化ガス燃料が十分に攪拌されるまでは燃料温度の不均一状態が維持されてしまう。そのため、燃料タンク内の燃料温度を正確に検出することができなくなる。
【０００５】
そして、燃料タンク内の燃料温度を正確に検出することができない結果、液化ガス燃料の組成を精度良く算出して更新することができないと、適切な燃料噴射を行うことができず、燃料噴射制御性が悪化してしまう。そのため、エンジンの始動性が悪化したり、ラフアイドルが発生したりするおそれがあった。
【０００６】
そこで、本発明は上記した問題点を解決するためになされたものであり、燃料タンク内の液化ガス燃料の燃料組成を精度良く算出して更新することができる液化ガス燃料供給装置を提供することを課題とする。
【課題を解決するための手段】
【０００７】
上記問題点を解決するためになされた本発明に係る液化ガス燃料供給装置は、液化ガス燃料が収容される燃料タンクから燃料ポンプによって汲み出された液化ガス燃料をインジェクタに供給しつつ、前記インジェクタからエンジンに噴射供給する液化ガス燃料供給装置において、前記燃料タンク内の液化ガス燃料の温度を検出する燃料温度検出手段と、前記燃料タンク内の液化ガス燃料の圧力を検出する燃料圧力検出手段と、前記燃料温度検出手段と前記燃料圧力検出手段との各検出値に基づき、前記燃料タンク内の液化ガス燃料の組成を算出する燃料組成算出手段と、前記燃料組成算出手段で新たに燃料組成が算出されたときに、前回算出された燃料組成を今回算出された燃料組成に更新する燃料組成更新手段とを有し、前記燃料組成更新手段は、エンジン始動後所定期間が経過したときに前記燃料組成の更新を行うことを特徴とする。
【０００８】
この液化ガス燃料供給装置では、燃料温度検出手段により燃料タンク内の液化ガス燃料の温度が検出されるとともに、燃料圧力検出手段により燃料タンク内の液化ガス燃料の圧力が検出される。そして、燃料組成算出手段により、燃料温度検出手段と燃料圧力検出手段との各検出値に基づき、燃料タンク内の液化ガス燃料の組成が算出される。この燃料組成は、液化ガス燃料の飽和蒸気圧曲線を利用して算出される。なお、燃料組成算出手段による燃料組成の算出は、少なくともエンジンが始動される度（イグニッションスイッチがＯＮされる度）に行われる。
【０００９】
そして、燃料組成更新手段により、エンジン始動後所定期間が経過したときに、燃料組成算出手段で前回算出された燃料組成が今回算出された燃料組成に更新される。これにより、エンジン始動後、燃料ポンプなどにより燃料タンク内の液化ガス燃料が攪拌されて燃料温度が均一な状態になってから、燃料組成を更新することができる。その結果、燃料タンク内の燃料温度が不均一な状態で燃料組成が算出されて更新されることを防止することができる。また、エンジン始動後所定期間が経過したときに燃料組成が更新されるため、エンジン始動時には燃料組成は更新されず、前回のエンジン始動時（運転時）に更新された燃料組成がそのまま、今回のエンジン始動時における燃料噴射制御に使用される。そして、燃料補給が行われていない限り燃料タンク内の燃料組成はほとんど変化しないため、前回のエンジン運転時（始動時）に更新された燃料組成を今回のエンジン始動時における燃料噴射制御に使用しても制御性が悪化することはない。これらのことから、燃料タンク内の液化ガス燃料の組成を、常に精度良く算出して更新することができる。その結果、燃料噴射制御性の悪化を防止することができる。
【００１０】
ここで、本発明に係る液化ガス燃料供給装置においては、前記所定期間は、エンジン始動後に前記燃料タンク内の燃料温度分布が略均一になるまでの期間とすればよい。
【００１１】
上記のように所定期間を決定することにより、エンジン始動後に燃料タンク内の燃料温度が均一な状態になってから、燃料組成を算出して更新することができる。その結果、燃料タンク内の燃料温度が不均一な状態で燃料組成が算出されて更新されることを確実に防止することができる。従って、燃料タンク内の液化ガス燃料の組成を、常に精度良く算出して更新することができる。
【００１２】
上記問題点を解決するためになされた本発明に係る別形態の液化ガス燃料供給装置は、液化ガス燃料が収容される燃料タンクから燃料ポンプによって汲み出された液化ガス燃料をインジェクタに供給しつつ、前記インジェクタからエンジンに噴射供給する液化ガス燃料供給装置において、前記燃料タンク内の液化ガス燃料の温度を検出する燃料温度検出手段と、前記燃料タンク内の液化ガス燃料の圧力を検出する燃料圧力検出手段と、前記燃料温度検出手段と前記燃料圧力検出手段との各検出値に基づき、前記燃料タンク内の液化ガス燃料の組成を算出する燃料組成算出手段と、前記燃料組成算出手段で新たに燃料組成が算出されたときに、前回算出された燃料組成を今回算出された燃料組成に更新する燃料組成更新手段とを有し、前記燃料組成更新手段は、エンジン始動後に所定車速に達したときに前記燃料組成の更新を行うことを特徴とする。
【００１３】
この液化ガス燃料供給装置でも、燃料温度検出手段により燃料タンク内の液化ガス燃料の温度が検出されるとともに、燃料圧力検出手段により燃料タンク内の液化ガス燃料の圧力が検出される。そうすると、燃料組成算出手段により、燃料温度検出手段と燃料圧力検出手段との各検出値に基づき、燃料タンク内の液化ガス燃料の組成が算出される。
【００１４】
その後、燃料組成更新手段により、エンジン始動後に車速が所定速度に達したときに、燃料組成算出手段で燃料組成が新たに算出されて更新される。これにより、エンジン始動後、車両の揺動により燃料タンク内の液化ガス燃料が攪拌されて燃料温度が均一な状態になってから、燃料組成を更新することができる。その結果、燃料タンク内の燃料温度が不均一な状態で燃料組成が算出されて更新されることを防止することができる。また、エンジン始動後に所定車速に達したときに燃料組成が更新されるため、エンジン始動時には燃料組成は更新されず、前回のエンジン運転時（始動時）に更新された燃料組成が、今回のエンジン始動時における燃料噴射制御に使用される。そして、燃料補給が行われていない限り燃料タンク内の燃料組成はほとんど変化しないため、前回のエンジン運転時（始動時）に更新された燃料組成を今回のエンジン始動時における燃料噴射制御に使用しても制御性が悪化することはない。これらのことから、燃料タンク内の液化ガス燃料の組成を、常に精度良く算出して更新することができる。その結果、燃料噴射制御性の悪化を防止することができる。
【００１５】
そして、上記した液化ガス燃料供給装置においては、前記燃料組成更新手段は、前記燃料組成算出手段で今回算出された燃料組成と前回算出された燃料組成との差が所定値以上である場合には、エンジン始動時に前記燃料組成の更新を行うことが望ましい。
【００１６】
エンジン停止中に燃料補給が行われて燃料組成が大きく変化した場合に、次回のエンジン始動時に燃料組成を新たに算出して更新しないと、実際の燃料組成との誤差が大きくなってしまって燃料噴射制御性が悪化する。なお、燃料補給が行われて燃料組成が大きく変化する場合としては、例えば、燃料タンク内に通常の液化ガス燃料が入っている状態で寒冷地仕様の液化ガス燃料が補給された場合などが考えられる。
【００１７】
そこで、燃料組成算出手段で今回算出された燃料組成と前回算出（更新）された燃料組成との差が所定値以上である場合には、燃料組成更新手段によりエンジン始動時に燃料組成の更新を行うことにより、実際の燃料組成との誤差をなくすことができる。つまり、燃料組成を精度良く算出して更新することができる。その結果、燃料補給が行われて燃料組成が大きく変化した場合においても、エンジン始動時及びその後における燃料噴射制御性が悪化することがない。
【発明の効果】
【００１８】
本発明に係る液化ガス燃料供給装置によれば、上記した通り、燃料タンク内の液化ガス燃料の燃料組成を精度良く算出して更新することができ、エンジン始動時における燃料噴射制御性の悪化を防止することができる。
【発明を実施するための最良の形態】
【００１９】
以下、本発明の液化ガス燃料供給装置を具体化した最も好適な実施の形態について図面に基づいて詳細に説明する。本実施の形態は、本発明の液化ガス燃料供給装置を液化石油ガス（ＬＰＧ）エンジンにＬＰＧ燃料を供給する装置に適用したものである。
【００２０】
（第１の実施の形態）
まず、第１の実施の形態について説明する。そこで、第１の実施の形態に係るＬＰＧ燃料供給装置の構成を、図１及び図２を参照しながら説明する。図１は、第１の実施の形態に係るＬＰＧ燃料供給装置の概略構成を示す図である。図２は、燃料タンク内における燃料ポンプ、燃温センサ、及び燃圧センサの配置位置を示す図である。
【００２１】
図１に示すように、本実施の形態に係る燃料供給装置１０には、燃料タンク１１と、燃料ポンプ１２と、燃料配管１３と、分岐配管１４と、４つのインジェクタ１６と、戻り配管１５と、電子制御装置（ＥＣＵ）２０とが備わっている。そして、燃料タンク１１内のＬＰＧ燃料がインジェクタ１６に供給されて、インジェクタ１６から不図示のエンジンに燃料が噴射されるようになっている。
【００２２】
燃料タンク１１は、ＬＰＧ燃料を収容するものである。この燃料タンク１１には、耐圧性が要求されるため、ボンベ形状をなす金属製のものが使用されている。この燃料タンク１１には、燃温センサ２１と燃圧センサ２２とが取り付けられている。燃温センサ２１は、燃料タンク１１内のＬＰＧ燃料の温度を検出し、その検出結果に応じた電気信号を出力するものである。燃圧センサ２２は、燃料タンク１１内のＬＰＧ燃料の圧力を検出し、その検出結果に応じた電気信号を出力するものである。これら燃温センサ２１および燃圧センサ２２は、ＥＣＵ２０に接続されている。そして、燃温センサ２１および燃圧センサ２２から出力される電気信号はともにＥＣＵ２０に入力されるようになっている。また、燃温センサ２１および燃圧センサ２２は、図２に示すように、燃料タンク１１の底部に設置されている。燃料タンク１１内のＬＰＧ燃料が減少したときにも、ＬＰＧ燃料の温度及び圧力を検出することができるように常に液没した状態にしておく必要があるからである。
【００２３】
燃料配管１３は、燃料ポンプ１２と分岐配管１４とを接続している。燃料ポンプ１２は、燃料タンク１１のＬＰＧ燃料を汲み出し、燃料配管１３及び分岐配管１４を介して各インジェクタ１６に圧送するものである。燃料ポンプ１２は、図２に示すように、燃料タンク１１の底部に設置されている。これにより、燃料タンク内のＬＰＧ燃料が減少したときにも、確実にＬＰＧ燃料を汲み出すことができるようになっている。
【００２４】
各インジェクタ１６は、燃料タンク１１に収容されたＬＰＧ燃料を液化状態でミスト状にエンジンの吸気通路（不図示）に噴射するものである。このインジェクタ１６は、電磁式噴射弁であり、通常は閉じられており、電気的に開かれるようになっている。インジェクタ１６は、燃料タンク１１に貯留されているＬＰＧ燃料の供給を受けて噴射するものである。そのために、燃料タンク１１の底部に設置された燃料ポンプ１２が、燃料タンク１１の底部からＬＰＧ燃料を汲み出し、その汲み出されたＬＰＧ燃料を分岐配管１４を介して各インジェクタ１６に導くようになっている。
【００２５】
分岐配管１４の一端は燃料配管１３に接続され、他端は戻り配管１５に接続されている。そして、戻り配管１５の他端は、燃料タンク１１内上部で開放されている。これにより、戻り配管１５は、燃料配管１３および分岐配管１４を通じて各インジェクタ１６へ圧送されたＬＰＧ燃料の全部または一部を燃料タンク１１に戻すようになっている。このため、各インジェクタ１６が作動しているときには、各インジェクタ１６に圧送されて噴射されなかった分のＬＰＧ燃料が、各インジェクタ１６を通った後、戻り配管１５を介して燃料タンク１１に戻されるようになっている。このように、インジェクタ１６にＬＰＧ燃料が圧送されるとき、その燃料の通過によってインジェクタ１６が冷却されるようになっている。また、この戻り配管１５には、プレッシャレギュレータ１７が設けられている。これにより、燃料配管１３及び分岐配管１４内の燃料圧力、つまり燃料ポンプ１２の出口からプレッシャレギュレータ１７までの間の燃料圧力が一定圧に調整されている。
【００２６】
そして、ＥＣＵ２０は、上記した燃料供給装置１０を統括的に制御している。このため、ＥＣＵ２０には、燃温センサ２１からの出力信号、燃圧センサ２２からの出力信号、及びエンジンの運転状態（車速信号も含む）を検出する各種センサからの出力信号が入力されるようになっている。ＥＣＵ２０は、中央処理装置（ＣＰＵ）、読み出し専用メモリ（ＲＯＭ）、ランダムアクセスメモリ（ＲＡＭ）およびバックアップＲＡＭなどを備えた周知の構成のものである。ＲＯＭは、各種制御に関する所定の制御プログラムを予め記憶している。そして、ＣＰＵは、ＲＯＭに記憶されたプログラムにしたがって各種制御を実行するようになっている。
【００２７】
また、ＥＣＵ２０は、燃温センサ２１からの出力信号と燃圧センサ２２からの出力信号とを受けて、これらに基づき燃料タンク１１内のＬＰＧ燃料のプロパン率（燃料組成）を算出するものでもある。つまり、ＥＣＵ２０は、本発明の「燃料組成算出手段」に相当する。さらに、ＥＣＵ２０は、算出したプロパン率の更新を行う（更新時期の決定も含む）ものでもある。つまり、ＥＣＵ２０は、本発明の「燃料組成更新手段」にも相当する。
【００２８】
続いて、上記した構成を有する燃料供給装置１０の動作について簡単に説明する。イグニッションスイッチ（ＩＧ）がオンされると、ＥＣＵ２０は、燃温センサ２１及び燃圧センサ２２の検出信号を入力し、それらの検出信号に基づきＬＰＧの飽和蒸気圧曲線を利用して、燃料タンク１１内のＬＰＧ燃料のプロパン率を算出して記憶（更新）する。その後、燃料ポンプ１２が駆動されると、燃料タンク１１内のＬＰＧ燃料が汲み上げられて燃料配管１３及び分岐配管１４に供給される。そして、ＥＣＵ２０は更新したプロパン率を考慮して各インジェクタ１６に対する指令を出力する。このＥＣＵ２０からの指令に基づきインジェクタ１６が作動することにより、エンジンにＬＰＧ燃料が噴射供給されてエンジンが駆動される。なお、エンジン運転中は、分岐配管１４内の燃料の一部が、戻り配管１５を介して燃料タンク１１に戻される。
【００２９】
ここで、長期間アイドリング運転が行われると、エンジンなどからの発熱によって暖められたリターン燃料が燃料タンク１１内に戻される。一方、燃料タンク１１内の比較的低温のＬＰＧ燃料がインジェクタ１６に供給される。そのため、長期間アイドリング運転がなされた後にエンジンが再始動されるようなときには、燃料タンク１１内のＬＰＧ燃料の温度が不均一（上部と下部とで温度差が生じる）になってしまう。また、燃料補給が行われた場合にも燃料タンク１１内のＬＰＧ燃料の温度が不均一になってしまう。
【００３０】
このようにＬＰＧ燃料の組成は変化していないが、燃料タンク１１内のＬＰＧ燃料の温度が不均一な状態において、次回のエンジン始動時にＥＣＵ２０が、燃料タンク１１内のＬＰＧ燃料のプロパン率を算出して更新すると、実際の燃料組成に対して大きな誤差が生じるおそれがある。その結果、エンジン始動時における燃料供給装置１０による燃料噴射の制御性が悪化するおそれがある。
【００３１】
その一方、燃料性状が異なる燃料が補給された場合には、ＬＰＧの燃料組成が大きく変化してしまう。このような場合には、次回のエンジン始動時にＥＣＵ２０が、燃料タンク１１内のＬＰＧ燃料のプロパン率を算出して更新しないと、実際の燃料組成に対して大きな誤差が生じてしまい、エンジン始動時における燃料供給装置１０による燃料噴射の制御性が悪化するおそれがある。
【００３２】
このため、本実施の形態に係る燃料供給装置１０は、ＥＣＵ２０が燃料噴射制御に使用するプロパン率の更新タイミングを制御して、燃料供給装置１０による燃料噴射の制御性が悪化しないようにしている。そこで、この燃料供給装置１０におけるプロパン率の更新制御について、図３を参照しながら説明する。図３は、プロパン率の更新制御の内容を示すフローチャートである。
【００３３】
燃料供給装置１０では、図３に示すように、ＩＧがＯＮされると（ステップ１）、ＥＣＵ２０は、燃温センサ２１及び燃圧センサ２２からの出力信号に基づき、燃料タンク１１内のＬＰＧ燃料の温度及び圧力を取得する（ステップ２）。そして、ＥＣＵ２０は、ステップ２で取得した燃温及び燃圧に基づき、燃料タンク１１内のＬＰＧ燃料のプロパン率を算出し記憶する（ステップ３）。
【００３４】
次いで、ＥＣＵ２０は、今回算出したプロパン率が前回更新時のプロパン率と比較して、その差が所定値Ｐｃ（例えば、３０％程度）未満であるか否かを判断する（ステップ４）。このステップ４の処理で、燃料性状が大きく異なるＬＰＧ燃料の給油の有無が判定されるのである。このとき、プロパン率の差が所定値Ｐｃ未満である場合、すなわち燃料性状が大きく異なるＬＰＧ燃料の給油がなされなかった場合には（Ｓ４：ＹＥＳ）、ＥＣＵ２０は、燃料噴射制御に使用するプロパン率の更新を禁止して（ステップ５）、次の処理を実行する。つまり、前回のエンジン運転中に使用されていたプロパン率（エンジン運転中に更新された場合は更新後のもの）、言い換えるとエンジン停止直前に使用されていたプロパン率がそのまま使用されて、エンジン始動時における燃料噴射制御が行われ、エンジンが始動される。
【００３５】
一方、プロパン率の差が所定値Ｐｃ以上である場合、すなわち燃料性状が大きく異なるＬＰＧ燃料の給油がされた場合には（Ｓ４：ＮＯ）、ＥＣＵ２０は、燃料噴射制御に使用するプロパン率を更新して（ステップ６）、次の処理を実行する。つまり、更新後のプロパン率、言い換えるとステップ３で算出したプロパン率が使用されて、エンジン始動時における燃料噴射制御が行われ、エンジンが始動される。
【００３６】
そして、エンジンが始動された後、ＥＣＵ２０は所定時間が経過したか否かを判断する（ステップ７）。ここで、所定時間としては、燃料タンク１１内のＬＰＧ燃料の温度が均一になるのに要する時間を設定すればよい。また、エンジンの運転状態などを考慮して所定時間を変化させてもよい。なお、本実施の形態では、エンジン始動後約１分経過したときに所定時間が経過したと判定するようにしている。
【００３７】
その後、所定時間が経過すると（Ｓ７：ＹＥＳ）、ＥＣＵ２０は、燃温センサ２１及び燃圧センサ２２からの出力信号に基づき、燃料タンク１１内のＬＰＧ燃料の温度及び圧力を取得する（ステップ８）。次いで、ＥＣＵ２０は、ステップ８で取得した燃温及び燃圧に基づき、燃料タンク１１内のＬＰＧ燃料のプロパン率を算出し記憶する（ステップ９）。そして、ＥＣＵ２０は、プロパン率の更新を行う（ステップ１０）。これにより、更新後のプロパン率、言い換えるとステップ９で算出したプロパン率が使用されて、その後の燃料噴射制御が実施される。
【００３８】
ここで、上記した制御を実施した場合における各種信号及びプロパン率の変化について、図４及び図５を参照しながら説明する。図４は、燃料タンク内のＬＰＧ燃料の温度が不均一になった場合における各種信号及びプロパン率の変化を示すタイミングチャートである。図５は、燃料性状が異なるＬＰＧ燃料を補給した場合における各種信号及びプロパン率の変化を示すタイミングチャートである。
【００３９】
まず、図４を参照しながら、ＩＧ−ＯＦＦ中に、燃料性状が大きく異なるＬＰＧ燃料の補給がなく、燃料タンク内におけるＬＰＧ燃料の温度が不均一になった場合について説明する。このような場合、時刻ｔ０にてＩＧがＯＦＦされる以前は、エンジン運転中に更新されたプロパン率が使用されて燃料噴射制御が行われている。このとき、燃料タンク１１内のＬＰＧ燃料の温度は均一であり、ＬＰＧ燃料の平均燃温（温度分布が均一である場合における燃温）Ｔａと燃温センサ２１で検出される燃温Ｔｓは等しい。そして、エンジン停止中（時刻ｔ０〜ｔ１間）に燃温センサ２１付近、つまり燃料タンク１１下部付近のＬＰＧ燃料の温度が上昇（例えば３〜５℃程度）する。このような状況としては、例えば、夏期に地熱（アスファルトからの輻射熱など）によって燃料タンク１１の下部が暖められる場合などが考えられる。このような場合、燃料タンク１１内のＬＰＧ燃料の平均燃温Ｔａはほとんど変化しないのに対し、燃温センサ２１で検出される燃温Ｔｓが上昇してしまい、燃料タンク１１内の燃温を正確に検出することができなくなる。
【００４０】
そして、時刻ｔ１にてＩＧがＯＮされると、ＥＣＵ２０によりプロパン率が算出される（図３のＳ１〜Ｓ３）。このとき、燃料タンク１１内におけるＬＰＧ燃料の平均燃温Ｔａに対して、ＩＧ−ＯＮ時に燃温センサ２１で検出される燃温Ｔｓの方が高くなっている。このため、ＥＣＵ２０によりＩＧ−ＯＮ時に算出されたプロパン率は、実際のプロパン率に対して誤差（１０〜２０％程度）が生じている（図４に示す白丸及び破線参照）。従って、従来技術のように時刻ｔ２（ＩＧ−ＯＮ時）においてプロパン率の更新を行うと（図４に示す白丸参照）、燃料噴射の制御性が悪化してしまう。
【００４１】
これに対して、燃料供給装置１０では、燃料補給が行われていないため、時刻ｔ１（ＩＧ−ＯＮ時）でのプロパン率と前回更新時のプロパン率（前回のＩＧ−ＯＦＦ時でのプロパン率）との差が、所定値Ｐｃ（例えば３０％）未満となるので、プロパン率の更新が禁止される（図３のＳ４：ＹＥＳ，Ｓ５）。その結果、前回更新されたプロパン率がそのまま使用されて燃料噴射制御が実行される。これにより、燃料噴射制御に使用されるプロパン率は、実際のプロパン率Ｐｒに対してほとんど誤差が生じないため（図４に示す時刻ｔ１〜ｔ２間の実線参照）、エンジン始動時における燃料噴射の制御性が悪化することを防止することができる。従って、エンジンの始動性が悪化したり、ラフアイドルが発生したりすることなく、安定したエンジン始動及びアイドリング運転を行うことができる。
【００４２】
その後、エンジンが運転されることにより燃料ポンプ１２などの作用により燃料タンク１１内のＬＰＧ燃料が攪拌される。このため、燃料タンク１１内のＬＰＧ燃料の燃温が均一になっていく。そして、時刻ｔ２にて燃温センサ２１で検出される燃温Ｔｓが、燃料タンク１１内におけるＬＰＧ燃料の平均温度Ｔａとほぼ同一となる。つまり、エンジン始動から所定時間が経過して（図３のＳ７：ＹＥＳ）、燃料タンク１１内のＬＰＧ燃料の燃温が均一になったと言える。
【００４３】
そして、燃料タンク１１内のＬＰＧ燃料の燃温が均一になった状態で、ＥＣＵ２０によりプロパン率が算出され、プロパン率の更新が行われる（図３のＳ８〜Ｓ１０、図４に示す黒丸参照）。その結果、時刻ｔ２以降では更新されたプロパン率が使用されて燃料噴射制御が実行される。これにより、時刻ｔ２以降においても実際のプロパン率Ｐｒに対して誤差がほとんど生じないため（図４に示す黒丸及び時刻ｔ２以降の実線参照）、燃料噴射の制御性が悪化することがないので、エンジンの安定した運転を確保することができる。
【００４４】
このように、燃料供給装置１０では、燃料タンク１１内のＬＰＧ燃料の温度が均一になった状態で、燃料タンク１１内のＬＰＧ燃料のプロパン率を算出して更新する。そのため、燃料タンク１１内のＬＰＧ燃料のプロパン率を、精度良く算出して更新することができる。その結果、燃料噴射制御性の悪化を防止することができる。
【００４５】
ここで、エンジン停止中に燃料補給が行われてプロパン率が大きく変化した場合に、次回のエンジン始動時にプロパン率を更新しないと（図５に示す白丸参照）、実際のプロパン率Ｐｒとの誤差が大きくなってしまって燃料噴射制御性が悪化する。なお、燃料補給が行われてプロパン率が大きく変化する場合としては、例えば、燃料タンク内に通常のＬＰＧ燃料が入っている状態で寒冷地用のＬＰＧ燃料（プロパン率が高い燃料）が補給された場合などが考えられる。
【００４６】
そこで続いて、図５を参照しながら、ＩＧ−ＯＦＦ中に、燃料性状が大きく異なるＬＰＧ燃料が補給された場合について説明する。このような場合、時刻ｔ０にてＩＧがＯＦＦされる以前は、エンジン運転中に更新されたプロパン率が使用されて燃料噴射制御が行われている。そして、エンジン停止中の時刻ｔ１から燃料補給が開始されると、燃料タンク１１内のＬＰＧ燃料の温度及び圧力がともに上昇し始める。また、燃料タンク内におけるＬＰＧ燃料の実際のプロパン率Ｐｒも上昇する。その後、時刻ｔ２で燃料補給が終了すると、その後、燃温、燃圧、及びプロパン率は一定となる。
【００４７】
そして、時刻ｔ３にてＩＧがＯＮされると、ＥＣＵ２０によりプロパン率が算出される（図３のＳ１〜Ｓ３）。このとき算出されたプロパン率は、前回更新時のプロパン率（前回のＩＧ−ＯＦＦ時でのプロパン率）との差が、所定値Ｐｃ（例えば３０％）以上あるから、プロパン率の更新が行われる（図３のＳ４：ＮＯ，Ｓ６、図５に示す黒丸参照）。その結果、時刻ｔ３以降は更新されたプロパン率が使用されて燃料噴射制御が実行される。これにより、エンジン始動時における燃料噴射の制御性が悪化することを防止することができる。従って、エンジンの始動性が悪化したり、ラフアイドルが発生したりすることなく、安定したエンジン始動及びアイドリング運転を行うことができる。
【００４８】
その後、上記したように、エンジンが運転されて燃料タンク１１内のＬＰＧ燃料の燃温が均一になった状態で、ＥＣＵ２０によりプロパン率が算出され、プロパン率の更新が行われるため（図３のＳ８〜Ｓ１０）、燃料噴射の制御性が悪化することがないので、エンジンの安定した運転を確保することができる。
【００４９】
このように、燃料供給装置１０では、燃料性状が大きく異なるＬＰＧ燃料が補給された場合には、ＩＧ−ＯＮ時に算出されたプロパン率に更新する。そのため、燃料タンク１１内のＬＰＧ燃料のプロパン率を、精度良く算出して更新することができる。その結果、燃料噴射制御性の悪化を防止することができる。
【００５０】
以上、詳細に説明したように第１の実施の形態に係る燃料供給装置１０は、ＩＧ−ＯＮ時に算出されたプロパン率と前回更新時のプロパン率との差が所定値Ｐｃ未満である場合には、エンジン始動後所定時間が経過して燃料タンク１１内のＬＰＧ燃料の温度が均一になるまでプロパン率の更新を禁止し、燃料タンク１１内のＬＰＧ燃料の温度が均一になった状態で新たにプロパン率を算出して更新する。これにより、燃料タンク１１内のＬＰＧ燃料のプロパン率を、常に精度良く算出して更新することができる。その結果、燃料タンク１１内のＬＰＧ燃料の温度が不均一になった場合でも、エンジン始動時及びその後における燃料噴射制御性の悪化を防止することができる。
【００５１】
一方、ＩＧ−ＯＮ時に算出されたプロパン率と前回更新時のプロパン率との差が所定値Ｐｃ以上である場合には、燃料供給装置１０は、ＩＧ−ＯＮ時に算出されたプロパン率に更新する。これにより、燃料タンク１１内のＬＰＧ燃料のプロパン率を、精度良く算出して更新することができる。その結果、燃料補給が行われて燃料タンク１１内におけるＬＰＧ燃料のプロパン率が大きく変化した場合においても、エンジン始動時における燃料噴射制御性の悪化を防止することができる。
【００５２】
（第２の実施の形態）
次に、第２の実施の形態について説明する。第２の実施の形態は、第１の実施の形態と基本的な構成をほぼ同じくするが、プロパン率の更新制御の内容が異なっている。このため以下では、第１の実施の形態と共通する構成については図面に同じ符号を付してその説明を適宜省略し、相違点を中心に説明する。
【００５３】
そこでまず、第２の実施の形態に係る燃料供給装置におけるプロパン率の更新制御について、図６を参照しながら説明する。図６は、第２の実施の形態におけるプロパン率の更新制御の内容を示すフローチャートである。
【００５４】
第２の実施の形態に係る燃料供給装置では、図６に示すように、ＩＧがＯＮされると（ステップ２１）、ＥＣＵ２０は、燃温センサ２１及び燃圧センサ２２からの出力信号に基づき、燃料タンク１１内のＬＰＧ燃料の温度及び圧力を取得する（ステップ２２）。そして、ＥＣＵ２０は、ステップ２で取得した燃温及び燃圧に基づき、燃料タンク１１内のＬＰＧ燃料のプロパン率を算出し記憶する（ステップ２３）。
【００５５】
次いで、ＥＣＵ２０は、今回算出したプロパン率が前回更新時のプロパン率と比較して、その差が所定値Ｐｃ（例えば、３０％程度）未満であるか否かを判断する（ステップ２４）。このステップ２４の処理で、燃料性状が大きく異なるＬＰＧ燃料の給油の有無が判定されるのである。このとき、プロパン率の差が所定値Ｐｃ未満である場合には（Ｓ２４：ＹＥＳ）、ＥＣＵ２０は、燃料噴射制御に使用するプロパン率の更新を禁止して（ステップ２５）、次の処理を実行する。つまり、前回のエンジン運転中に使用されていたプロパン率（エンジン運転中に更新された場合は更新後のもの）、言い換えるとエンジン停止直前に使用されていたプロパン率がそのまま使用されて、エンジン始動時における燃料噴射制御が行われ、エンジンが始動される。
【００５６】
一方、プロパン率の差が所定値Ｐｃ以上である場合には（Ｓ２４：ＮＯ）、ＥＣＵ２０は、燃料噴射制御に使用するプロパン率を更新して（ステップ２６）、次の処理を実行する。つまり、更新後のプロパン率、言い換えるとステップ３で算出したプロパン率が使用されて、エンジン始動時における燃料噴射制御が行われ、エンジンが始動される。
【００５７】
そして、エンジンが始動された後、ＥＣＵ２０は車速が所定速度Ｖｃ以上になったか否かを判断する（ステップ２７）。ここで、所定速度Ｖｃとしては、例えば１０〜２０ｋｍ／ｈ程度を設定すればよい。そして、車速が所定速度Ｖｃ以上になれば、燃料ポンプ１２の作用などの他、車両つまり燃料タンク１１の揺動によっても燃料タンク１１内のＬＰＧ燃料が十分に攪拌されてＬＰＧ燃料の温度が均一になっていると考えられる。
【００５８】
その後、車速が所定速度Ｖｃ以上になると（Ｓ２７：ＹＥＳ）、ＥＣＵ２０は、燃温センサ２１及び燃圧センサ２２からの出力信号に基づき、燃料タンク１１内のＬＰＧ燃料の温度及び圧力を取得する（ステップ２８）。次いで、ＥＣＵ２０は、ステップ２８で取得した燃温及び燃圧に基づき、燃料タンク１１内のＬＰＧ燃料のプロパン率を算出し記憶する（ステップ２９）。そして、ＥＣＵ２０は、プロパン率の更新を行う（ステップ３０）。これにより、更新後のプロパン率、言い換えるとステップ２９で算出したプロパン率が使用されて、その後の燃料噴射制御が実施される。
【００５９】
ここで、上記した制御を実施した場合における各種信号及びプロパン率の変化について、図７を参照しながら説明する。図７は、燃料タンク内のＬＰＧ燃料の温度が不均一になった場合における各種信号及びプロパン率の変化を示すタイミングチャートである。
【００６０】
時刻ｔ１にてＩＧがＯＮされるが、このとき、燃料タンク１１内におけるＬＰＧ燃料の平均燃温Ｔａに対して、燃温センサ２１で検出される燃温Ｔｓの方が低くなっているため、燃料タンク１１内の燃温を正確に検出することができなくなる。なお、このような状況としては、例えば、長期間アイドリング運転が行われ後にエンジンが停止され、その後にエンジンが始動される場合など考えられる。
【００６１】
そして、ＥＣＵ２０によりプロパン率が算出される（図３のＳ１〜Ｓ３）。このとき、燃料タンク１１内におけるＬＰＧ燃料の平均燃温Ｔａに対して、ＩＧ−ＯＮ時に燃温センサ２１で検出される燃温Ｔｓの方が低くなっているため、ＥＣＵ２０によりＩＧ−ＯＮ時に算出されたプロパン率は、実際のプロパン率Ｐｒに対して誤差（１０〜２０％程度）が生じている（図７に示す白丸及び破線参照）。従って、従来技術のように時刻ｔ１（ＩＧ−ＯＮ時）においてプロパン率の更新を行うと（図７に示す白丸参照）、燃料噴射の制御性が悪化してしまう。
【００６２】
これに対して、本実施の形態に係る燃料供給装置では、前回のエンジン停止中に燃料補給が行われていないため、時刻ｔ１（ＩＧ−ＯＮ時）でのプロパン率と前回更新時のプロパン率（前回のＩＧ−ＯＦＦ時でのプロパン率）との差が、所定値Ｐｃ（例えば３０％）未満となるので、プロパン率の更新が禁止される（図３のＳ４：ＹＥＳ，Ｓ５）。その結果、前回更新されたプロパン率がそのまま使用されて燃料噴射制御が実行される。これにより、燃料噴射制御に使用されるプロパン率は、実際のプロパン率Ｐｒに対してほとんど誤差が生じないため（図７に示す時刻ｔ１〜ｔ３間の実線参照）、エンジン始動時における燃料噴射の制御性が悪化することを防止することができる。従って、エンジンの始動性が悪化したり、ラフアイドルが発生したりすることなく、安定したエンジン始動及びアイドリング運転を行うことができる。
【００６３】
その後、エンジンが運転されることにより燃料ポンプ１２などの作用や車両の走行などにより燃料タンク１１内のＬＰＧ燃料が攪拌される。このため、燃料タンク１１内のＬＰＧ燃料の燃温が均一になっていく。まず、時刻ｔ２にて車両が走行し始め、時刻ｔ３にて所定速度Ｖｃに達する。これにより、燃料ポンプ１２などの作用や車両の走行による燃料タンク１１の揺動などにより、燃料タンク１１内のＬＰＧ燃料が十分に攪拌されて燃温が均一になる。つまり、時刻ｔ２においては、燃料タンク１１内のＬＰＧ燃料の平均燃温Ｔａと燃温センサ２１で検出される燃温Ｔｓとがほぼ同一となる。
【００６４】
そして、時刻ｔ３、つまり燃料タンク１１内のＬＰＧ燃料の燃温が均一になった状態において、ＥＣＵ２０によりプロパン率が算出され、プロパン率の更新が行われる（図３のＳ８〜Ｓ１０、図７に示す黒丸参照）。その結果、時刻ｔ３以降では更新されたプロパン率が使用されて燃料噴射制御が実行される。これにより、時刻ｔ３以降においても実際のプロパン率Ｐｒに対して誤差がほとんど生じないため（図４に示す黒丸及び時刻ｔ３以降の実線参照）、燃料噴射の制御性が悪化することがないので、エンジンの安定した運転を確保することができる。
【００６５】
このように、第２の実施の形態に係る燃料供給装置では、燃料タンク１１内のＬＰＧ燃料の温度が均一になった状態で、燃料タンク１１内のＬＰＧ燃料のプロパン率を算出して更新する。そのため、燃料タンク１１内のＬＰＧ燃料のプロパン率を、精度良く算出して更新することができる。その結果、燃料噴射制御性の悪化を防止することができる。
【００６６】
なお、エンジン停止中に燃料補給が行われてプロパン率が大きく変化した場合には、第１の実施の形態と同様の制御が実施される。従って、第２の実施の形態に係る燃料供給装置でも、燃料性状が大きく異なるＬＰＧ燃料が補給された場合には、ＩＧ−ＯＮ時に算出されたプロパン率に更新されるため、燃料タンク１１内のＬＰＧ燃料のプロパン率を、精度良く算出して更新することができる。その結果、燃料噴射制御性の悪化を防止することができる。
【００６７】
以上、詳細に説明したように第２の実施の形態に係る燃料供給装置は、ＩＧ−ＯＮ時に算出されたプロパン率と前回更新時のプロパン率との差が所定値Ｐｃ未満である場合には、車速が所定速度Ｖｃに達して燃料タンク１１内のＬＰＧ燃料の温度が均一になるまでプロパン率の更新を禁止し、車速が所定速度Ｖｃに達して燃料タンク１１内のＬＰＧ燃料の温度が確実に均一になった状態で新たにプロパン率を算出して更新する。これにより、燃料タンク１１内のＬＰＧ燃料のプロパン率を、常に精度良く算出して更新することができる。その結果、燃料タンク１１内のＬＰＧ燃料の温度が不均一になった場合でも、エンジン始動時及びその後における燃料噴射制御性の悪化を防止することができる。
【００６８】
一方、第２の実施の形態に係る燃料供給装置は、ＩＧ−ＯＮ時に算出されたプロパン率と前回更新時のプロパン率との差が所定値Ｐｃ以上である場合には、ＩＧ−ＯＮ時に算出されたプロパン率に更新する。これにより、燃料タンク１１内のＬＰＧ燃料のプロパン率を、精度良く算出して更新することができる。その結果、燃料補給が行われて燃料タンク１１内におけるＬＰＧ燃料のプロパン率が大きく変化した場合においても、エンジン始動時における燃料噴射制御性の悪化を防止することができる。
【００６９】
なお、上記した実施の形態は単なる例示にすぎず、本発明を何ら限定するものではなく、その要旨を逸脱しない範囲内で種々の改良、変形が可能であることはもちろんである。例えば、上記した第１の実施の形態では、エンジン始動後約１分経過したときに所定時間が経過したと判定するようにしている。しかしながら、所定時間の経過判断はこれに限られることはなく、例えば、燃料タンク１１内のＬＰＧ燃料の温度が、前回のエンジン停止時点における燃温とほぼ同一（差が２℃以内）になったときに所定時間が経過したと判定することもできる。なぜなら、時刻ｔ０（ＩＧ−ＯＦＦ時点）においては、燃料タンク１１内でＬＰＧ燃料が十分に攪拌されており、ＬＰＧ燃料の温度が均一になっている。このため、時刻ｔ２にて燃温センサ２１で検出される燃温Ｔｓが、時刻ｔ０にて燃温センサ２１で検出される燃温とほぼ同一になれば、燃料タンク１１内でＬＰＧ燃料が十分に攪拌されて、ＬＰＧ燃料の温度が均一になったと考えられるからである。
【００７０】
また、上記した第２の実施の形態では、エンジン始動後に所定速度Ｖｃに達したときにプロパン率の更新を行うと、プロパン率の更新制御のサブルーチンを終了するものを例示した。しかし、所定速度Ｖｃに達したときにプロパン率の更新を行った後も、ステップ２７以降の処理を繰り返すようにしてもよい。こうすることにより、長期間アイドリング運転が行われ、アイドリング運転中に燃料タンク１１内のＬＰＧ燃料の温度が不均一になった場合にも、燃料噴射制御性の悪化を防止することができる。
【００７１】
また、上記した実施の形態では、ＬＰＧ燃料をエンジンに供給する燃料供給装置を本発明を適用した例について説明したが、本発明はＬＰＧ燃料に限らず液化ガス燃料（例えば、液化天然ガス（ＬＮＧ）等）をエンジンに供給する燃料供給装置にも適用することができる。
【図面の簡単な説明】
【００７２】
【図１】第１の実施の形態に係るＬＰＧ燃料供給装置の概略構成を示す図である。
【図２】燃料タンク内における燃料ポンプ、燃温センサ、及び燃圧センサの配置位置を示す図である。
【図３】プロパン率の更新制御の内容を示すフローチャートである。
【図４】燃料タンク内のＬＰＧ燃料の温度が不均一になった場合における各種信号及びプロパン率の変化を示すタイミングチャートである。
【図５】燃料性状が異なるＬＰＧ燃料を補給した場合における各種信号及びプロパン率の変化を示すタイミングチャートである。
【図６】第２の実施の形態におけるプロパン率の更新制御の内容を示すフローチャートである。
【図７】燃料タンク内のＬＰＧ燃料の温度が不均一になった場合における各種信号及びプロパン率の変化を示すタイミングチャートである。
【符号の説明】
【００７３】
１０  燃料供給装置
１１  燃料タンク
１２  燃料ポンプ
１３  燃料配管
１４  分岐配管
１５  戻り配管
１６  インジェクタ
１７  プレッシャレギュレータ
２０  ＥＣＵ
２１  燃温センサ
２２  燃圧センサ
Ｐｃ  所定値
Ｐｒ  実際のプロパン率
Ｔａ  燃料タンク内の平均燃温
Ｔｓ  燃温センサの検出値
Ｖｃ  所定速度
【図１】
0004870713.tif 000002
【図２】
0004870713.tif 000003
【図３】
0004870713.tif 000004
【図４】
0004870713.tif 000005
【図５】
0004870713.tif 000006
【図６】
0004870713.tif 000007
【図７】
0004870713.tif 000008